(57)【特許請求の範囲】
【請求項１】
蓄積情報を入力する第１の情報入力部と、
外部情報を入力する第２の情報入力部と、
上記第１の情報入力部で入力される上記蓄積情報を処理して第１の画像信号を得る第１の情報処理部と、
上記第２の情報入力部で入力される上記外部情報を処理して第２の画像信号を得る第２の情報処理部と、
上記第１の情報処理部で得られる第１の画像信号および上記第２の情報処理部で得られる第２の画像信号のいずれかまたは双方に係る出力画像信号を出力する画像信号出力部と、
上記第１の情報入力部、上記第２の情報入力部、上記第１の情報処理部、上記第２の情報処理部および上記画像信号出力部の動作を制御する制御部とを備え、
上記制御部は、
上記蓄積情報および上記外部情報を処理する同時処理モードにあり、上記画像信号出力部より上記第１の画像信号および上記第２の画像信号の双方に係る出力画像信号が出力されている状態で、上記同時処理モードより上記蓄積情報または上記外部情報のうち一方を処理する処理モードに移行するとき、
上記第１の情報処理部および上記第２の情報処理部のうち上記一方の情報を処理する一方の情報処理部を全画面表示をするための画像信号を得るように制御すると共に、
該一方の情報処理部で得られる画像信号を上記出力画像信号として出力するように上記画像信号出力部を制御し、
上記同時処理モードで、上記画像信号出力部より上記第１の画像信号および上記第２の画像信号の双方に係る出力画像信号が出力されるとき、
該出力画像信号で同時表示される２画像にそれぞれ対応した２つの画像信号部分を、該２つの画像信号部分に対応した情報のみをそれぞれデコードして得るように、２画像のうちの一方については２画像の他方の部分を除いてデコードして得るように上記第１の情報処理部および上記第２の情報処理部を制御すると共に、
上記第１の情報処理部および上記第２の情報処理部で得られる上記２つの画像信号部分を合成して上記出力画像信号を出力するように上記画像信号出力部を制御する
ことを特徴とする集積回路。
【請求項２】
上記第１の画像信号および上記第２の画像信号の双方に係る出力画像信号で同時表示される２画像のうち、一方は圧縮されていない状態で親画面に表示され、他方は圧縮された状態で子画面に表示される
ことを特徴とする請求項１に記載の集積回路。
【発明の詳細な説明】
【０００１】
【発明の属する技術分野】
この発明は、例えばディスク状記録媒体より再生された情報（蓄積情報）の処理部およびインターネットに接続された通信回線で取得された情報（外部情報）の処理部を有する集積回路に関する。詳しくは、蓄積情報および外部情報を処理する同時処理モードにあって２画像を同時表示するための画像信号を出力している状態より、一方の情報を処理する処理モードに移行するとき、当該一方の情報を処理して全画面表示をするための画像信号を得ると共にこの画像信号を出力する構成とすることによって、処理モード移行時における画面の切り換えを簡単に行い得るようにした集積回路に係るものである。
【０００２】
【従来の技術】
近年、ＤＶＤ(Digital Versatile Disc)を取り扱うＤＶＤプレーヤが普及しつつある。ＤＶＤには、ビデオデータがＭＰＥＧ２(Moving Picture Experts Group 2)を使って圧縮して記憶されていると共に、オーディオデータがＡＣ３やＭＰＥＧ２オーディオを使って圧縮して記憶されている。そのため、ＤＶＤプレーヤは、ＤＶＤから、高品質の画像や音声を長時間にわたって再生できる。
【０００３】
【発明が解決しようとする課題】
このようなＤＶＤプレーヤに、インターネットに接続された通信回線で取得された情報を処理する機能を付加することが考えられている。これにより、ＤＶＤプレーヤで、インターネットより取得された種々の情報を処理してモニタに表示でき、ＤＶＤプレーヤがより便利なものとなると思われる。
【０００４】
この発明の目的は、例えばディスク状記録媒体より再生された情報（蓄積情報）の処理部およびインターネットに接続された通信回線で取得された情報（外部情報）の処理部を有し、蓄積情報および外部情報を処理する同時処理モードより一方の情報を処理する処理モードへの移行時における画面の切り換えを簡単に、また自動的に行い得る集積回路を提供することにある。
【０００５】
【課題を解決するための手段】
この発明に係る集積回路は、蓄積情報を入力する第１の情報入力部と、外部情報を入力する第２の情報入力部と、この第１の情報入力部で入力される蓄積情報を処理して第１の画像信号を得る第１の情報処理部と、第２の情報入力部で入力される外部情報を処理して第２の画像信号を得る第２の情報処理部と、第１の情報処理部で得られる第１の画像信号および第２の情報処理部で得られる第２の画像信号のいずれかまたは双方に係る出力画像信号を出力する画像信号出力部と、第１の情報入力部、第２の情報入力部、第１の情報処理部、第２の情報処理部および画像信号出力部の動作を制御する制御部とを備えるものである。そして、制御部は、蓄積情報および外部情報を処理する同時処理モードにあり、画像信号出力部より第１の画像信号および第２の画像信号の双方に係る出力画像信号が出力されている状態で、同時処理モードより蓄積情報または外部情報のうち一方を処理する処理モードに移行するとき、第１の情報処理部および第２の情報処理部のうち上記一方の情報を処理する一方の情報処理部を全画面表示をするための画像信号を得るように制御すると共に、その一方の情報処理部で得られる画像信号を出力画像信号として出力するように画像信号出力部を制御するものである。
【０００６】
この発明においては、例えば蓄積情報をデコードする第１の情報処理部および外部情報をデコードする第２の情報処理部を備えている。蓄積情報は、例えばＤＶＤ等のディスク状記録媒体より再生された情報である。外部情報は、例えばインターネットに接続された通信回線で取得された情報である。
【０００７】
画像信号出力部からは第１の情報処理部で得られる第１の画像信号および第２の情報処理部で得られる第２の画像信号のいずれかまたは双方に係る出力画像信号が出力される。蓄積情報および外部情報を処理する同時処理モードでは、この出力画像信号は、第１の画像信号および第２の画像信号の双方に係るものとなり、２画像を同時表示するものとなる。
【０００８】
第１の情報入力部、第２の情報入力部、第１の情報処理部、第２の情報処理部および画像信号出力部の動作は制御部によって制御される。制御部は、同時処理モードより一方の情報を処理する処理モードに移行するとき、第１の情報処理部および第２の情報処理部のうち上記一方の情報を処理する一方の情報処理部を全画面表示をするための画像信号を得るように制御すると共に、その一方の情報処理部で得られる画像信号を出力画像信号として出力するように画像信号出力部を制御する。
【０００９】
このように、第１、第２の情報処理部および画像信号出力部を備え、蓄積情報や外部情報より画像信号を得る処理、これら画像信号に基づいた出力画像信号を得る処理を同一の集積回路内で行うものであり、蓄積情報および外部情報を処理する同時処理モードから一の情報を処理する処理モードへの移行時における画面の切り換えを簡単に行うことができる。
【００１０】
【発明の実施の形態】
以下、図面を参照しながら、この発明の実施の形態について説明する。図１は、インターネット機能を有するＤＶＤプレーヤ１００の構成を示している。
ＤＶＤプレーヤ１００は、ＤＶＤ１０１を回転駆動するためのスピンドルモータ１０２と、半導体レーザ、対物レンズ、光検出器等から構成される光ピックアップ１０３と、この光ピックアップ１０３をＤＶＤ１０１の半径方向（ラジアル方向）に移動させるための送りモータ１０４とを有している。この場合、光ピックアップ１０３を構成する半導体レーザからのレーザビームがＤＶＤ１０１の記録面に照射され、その反射光が光ピックアップ１０３を構成する複数の光検出器（４分割フォトディテクタ）に照射される。
【００１１】
また、ＤＶＤプレーヤ１００は、フロントエンド側の動作を制御するコントローラとしてのＣＰＵ(Central Processing Unit)１０５と、サーボ制御回路１０６とを有している。サーボ制御回路１０６によって、光ピックアップ１０３におけるトラッキングやフォーカスが制御され、また送りモータ１０４の動作が制御される。さらに、サーボ制御回路１０６によってスピンドルモータ１０２の回転が制御され、ＤＶＤ１０１の再生時には、このＤＶＤ１０１がＣＬＶ(Constant Linear Velocity)で回転駆動される。
【００１２】
また、ＤＶＤプレーヤ１００は、光ピックアップ１０３の複数の光検出器の出力信号を演算増幅して、再生ＲＦ信号、非点収差方式によるフォーカスエラー信号、位相差方式によるトラッキングエラー信号を作成するＲＦアンプ部１０７を有している。このＲＦアンプ部１０７で作成されるフォーカスエラー信号およびトラッキングエラー信号はサーボ制御回路１０６に供給され、サーボ制御回路１０６では、これらのエラー信号を用いて、上述したように光ピックアップ１０３におけるトラッキングやフォーカスを制御する。なお、このＲＦアンプ部１０７は、光ピックアップ１０３を構成する半導体レーザのパワー制御機能も備えている。
【００１３】
また、ＤＶＤプレーヤ１００は、ＲＦアンプ部１０７で作成された再生ＲＦ信号の２値化スライス、その後のＰＬＬ(Phase-Locked Loop)による同期データの生成等、一連のアナログ信号処理を行うリードチャネル部１０８を有している。なお、このリードチャネル部１０８は、ＣＬＶ制御信号の生成などの機能も備えている。このＣＬＶ制御信号はサーボ制御回路１０６に供給され、サーボ制御回路１０６では、このＣＬＶ制御信号を用いて、上述したようにスピンドルモータ１０２の回転を制御する。
【００１４】
また、ＤＶＤプレーヤ１００は、リードチャネル部１０８で生成された同期データ（８／１６変調データ）の復調、その後の誤り訂正等の処理を行う復調／ＥＣＣ部１０９と、ＲＡＭ１１０をバッファメモリとして使用し、復調／ＥＣＣ部１０９の出力データを後段の処理回路が要求するデータレートで出力するＶＢＲ(Variable Bit Rate）制御部１１１とを有している。このＶＢＲ制御部１１１までが、フロントエンドを構成している。
【００１５】
また、ＤＶＤプレーヤ１００は、ＤＶＤ処理機能およびインターネット処理機能を備える集積回路１２０を有している。ここで、ＤＶＤ処理機能は、ＤＶＤ１０１の再生データを処理する機能である。一方、インターネット処理機能は、後述するインターネットに接続された通信回線で取得された情報（インターネット情報）を処理する機能である。
【００１６】
集積回路１２０の構成を説明する。この集積回路１２０は、集積回路内の各回路の動作を制御するＣＰＵ１２１を有している。このＣＰＵ１２１は、内部バス１２２に接続されていると共に、上述したフロントエンド側のＣＰＵ１０５と通信可能に接続されている。
【００１７】
また、集積回路１２０は、ＶＢＲ制御部１１１より出力されるデータストリームにかけられているコピーガードのためのスクランブルを解除するデスクランブラ１２３と、このデスクランブラ１２３でスクランブルが解除されたデータストリームより、ビデオデータ、オーディオデータ、サブピクチャデータ等を分離するデマルチプレクサ１２４を有している。
【００１８】
また、集積回路１２０は、上述したＤＶＤ１０１の再生データを処理するための動作プログラムやインターネット情報を処理（デコード処理、ブラウジング処理等）するための動作プログラムが格納されたＲＯＭ(Read Only Memory)１１２を外付けするためのＲＯＭインタフェース１２５と、ＣＰＵ１２１の制御に伴って生成されるデータを格納したり、ワーキングエリアとして用いられるＲＡＭ(Random Access Memory)１１３を外付けするためのＲＡＭインタフェース１２６とを有している。インタフェース１２５，１２６はそれぞれ内部バス１２２に接続されている。
【００１９】
また、集積回路１２０は、電話回線を介してインターネットに接続するためのモデム１１４を外付けするためのモデムインタフェース１２７と、液晶表示素子、ＦＬ表示管等で構成される表示部１４１および複数の操作キーが配された操作キー部１４２を含むパネル部１４０を接続するためのＣＰＵインタフェース１２８とを有している。インタフェース１２７，１２８はそれぞれ内部バス１２２に接続されている。ここで、パネル部１４０にはＣＰＵ１４３が備えられており、表示部１４１および操作キー部１４２はそれぞれＣＰＵ１４３に接続されている。そして、集積回路１２０のＣＰＵインタフェース１２８には、ＣＰＵ１４３が接続されている。
【００２０】
また、集積回路１２０は、ＤＶＤ処理モード時に、デマルチプレクサ１２４より得られる圧縮ビデオデータ（ＭＰＥＧ２ビデオデータ）に対して伸長処理等を行ったり、インターネット処理モード時に、インターネット情報より所定ＷｅｂサイトのＷｅｂページを表示するためのビデオデータを得る処理等を行うビデオプロセッサ１２９を有している。このビデオプロセッサ１２９は内部バス１２２に接続されている。なお、インターネット情報を処理して所定ＷｅｂサイトのＷｅｂページを表示するためのビデオデータを得る処理の一部または全部がＣＰＵ１２１で行われるようにしてもよい。
【００２１】
また、集積回路１２０は、ＤＶＤ処理モード時に、デマルチプレクサ１２４より得られるサブピクチャデータを処理して字幕等を表示するための表示データを得るためのサブピクチャデコーダ１３０と、上述したビデオプロセッサ１２９より出力されるビデオデータにサブピクチャデコーダ１３０より出力される表示データを合成する合成器１３１と、この合成器１３１より出力されるビデオデータを使用して例えばＮＴＳＣ方式の映像データを生成し、その後この映像データをアナログ信号に変換して映像信号ＳＶを得、この映像信号ＳＶを外部のビデオ出力端子１１５に出力するＴＶエンコーダ／ＤＡＣ１３２を有している。ビデオプロセッサ１２９およびサブピクチャデコーダ１３０は、それぞれ内部バス１２２に接続されている。
【００２２】
また、集積回路１２０は、ＯＳＤ(On Screen Display)回路１３３を有している。このＯＳＤ回路１３３より出力される表示データはＴＶエンコーダ／ＤＡＣ１３２に供給され、合成器１３１からのビデオデータに合成される。これにより、ＯＳＤ回路１３３より出力される表示データによるＯＳＤ表示が可能となっている。このＯＳＤ回路１３３は内部バス１２２に接続され、その動作はＣＰＵ１２１によって制御される。
【００２３】
また、集積回路１２０は、ＤＶＤ処理モード時に、デマルチプレクサ１２４より得られるオーディオデータ（ＡＣ−３データ、ＭＰＥＧ２オーディオデータ等）に対して伸長処理等を行ったり、インターネット処理モード時に、インターネット情報を処理して所定ＷｅｂサイトのＷｅｂページに係るオーディオデータを得、このオーディオデータを外部のＤ／Ａコンバータ１１６に供給するオーディオプロセッサ１３４を有している。なお、インターネット情報に係るオーディオデータを得る処理の一部または全部がＣＰＵ１２１で行われるようにしてもよい。Ｄ／Ａコンバータ１１６より出力されるアナログの音声信号ＳＡはオーディオ出力端子１１７に出力される。
【００２４】
また、上述せずも、パネル部１４０の操作キー部１４２には、ＤＶＤ処理およびインターネット処理が同時に行われる同時処理モード時に、ビデオプロセッサ１２９より出力されるビデオデータによる２画像の同時表示の態様を切り換えるための切換キー１４２ａが配設されている。この切換キー１４２ａを操作することで、ＤＶＤの再生画面を親画面とし、インターネットの所定Ｗｅｂサイトの閲覧画面を子画面とする状態、またはインターネットの所定Ｗｅｂサイトの閲覧画面を親画面とし、ＤＶＤの再生画面を子画面とする状態に切り換えることができる。
【００２５】
また、上述せずも、パネル部１４０の操作キー部１４２には、ＤＶＤ処理およびインターネット処理が同時に行われる同時処理モード時に、オーディオプロセッサ１３４より出力されるオーディオデータを、ＤＶＤ処理に係るオーディオデータまたはインターネット処理に係るオーディオデータに切り換えるための切換キー１４２ｂが配設されている。この切換キー１４２ｂを操作することで、インターネット音声の出力状態またはＤＶＤ音声の出力状態に切り換えることができる。
【００２６】
図１に示すＤＶＤプレーヤ１００の動作を説明する。
ユーザの操作キー部１４２の操作によってＤＶＤ再生が指示された場合について述べる。その場合、再生指示信号がパネル部１４０のＣＰＵ１４３、ＣＰＵインタフェース１２８、内部バス１２２を通じて集積回路１２０のＣＰＵ１２１に送られるため、集積回路１２０はＤＶＤ処理モードとなる。
【００２７】
そして、集積回路１２０のＣＰＵ１２１は、フロントエンド側のＣＰＵ１０５に再生を指示する。これにより、サーボ制御回路１０６の制御によってスピンドルモータ１０２の回転が開始され、ＤＶＤ１０１がＣＬＶで回転駆動され、再生が開始される。
【００２８】
ＤＶＤ１０１の再生状態でＲＦアンプ部１０７より得られる再生ＲＦ信号はリードチャネル部１０８に供給され、このリードチャネル部１０８で２値化スライス処理、ＰＬＬによる同期データの生成処理等が行われる。リードチャネル部１０８より出力される同期データは復調／ＥＣＣ部１０９に供給され、この復調／ＥＣＣ部１０９で復調処理および誤り訂正処理が行われる。そして、この復調／ＥＣＣ部１０９からのデータストリームが、ＶＢＲ制御部１１１を通じて、所定のデータレートで集積回路１２０のデスクランブラ１２３に供給される。
【００２９】
デスクランブラ１２３ではデータストリームにかけられているスクランブルが解除され、スクランブルが解除されたデータストリームはデマルチプレクサ１２４に供給される。このデマルチプレクサ１２４では、データストリームより、ビデオデータ、オーディオデータ、サブピクチャデータ等の分離が行われる。
【００３０】
そして、デマルチプレクサ１２４で分離されたビデオデータ（ＭＰＥＧ２ビデオデータ）はビデオプロセッサ１２９に供給されて伸長処理が施される。そして、このビデオプロセッサ１２９より出力されるビデオデータが合成器１３１を介してＴＶエンコーダ／ＤＡＣ１３２に供給され、ビデオ出力端子１１５には例えばＤＶＤ１０１の再生信号に係るＮＴＳＣ方式の映像信号ＳＶが出力される。この映像信号ＳＶをモニタ（図示せず）に供給することで、図２Ａに示すように、モニタの全面に再生画像ＩＭ１が表示される。
【００３１】
また、デマルチプレクサ１２４で分離されたサブピクチャデータはサブピクチャデコーダ１３０に供給される。そして、ユーザの操作キー部１４２の操作に基づいて、このサブピクチャデコーダ１３０でデコード処理が行われ、字幕等を表示するための表示データが作成される。この表示データは合成器１３１でビデオプロセッサ１２９からのビデオデータに合成されるので、再生画像に字幕等が重ねて表示されることとなる。
【００３２】
また、デマルチプレクサ１２４で分離されたオーディオデータ（ＡＣ−３データ等）はオーディオプロセッサ１３４に供給されて処理される。そして、このオーディオプロセッサ１３４より出力されるオーディオデータが外部のＤ／Ａコンバータ１１６に供給されてアナログ音声信号ＳＡとされ、この音声信号ＳＡがオーディオ出力端子１１７に出力される。この音声信号ＳＡを増幅してスピーカ（図示せず）に供給することで、再生音声（ＤＶＤ音声）が出力される。
【００３３】
次に、ユーザの操作キー部１４２の操作によってインターネット接続が指示された場合について述べる。その場合、接続指示信号がパネル部１４０のＣＰＵ１４３、ＣＰＵインタフェース１２８、内部バス１２２を通じて集積回路１２０のＣＰＵ１２１に送られるため、集積回路１２０はインターネット処理モードとなる。
【００３４】
そして、集積回路１２０のＣＰＵ１２１は、ブラウザを起動すると共に、モデム１１４よりダイヤルアップしてインターネットの接続サービスを提供する所定のプロバイダ（ＩＳＰ：Internet Service Provider）との回線を接続する。そして、インターネットの設定されたＵＲＬ(Uniform Resource Locator)のＷｅｂサイトにアクセスする。これにより、当該Ｗｅｂサイトを構成するＷｅｂページの情報がダウンロードされてモデム１１４よりＣＰＵ１２１に供給される。
【００３５】
このダウンロードされた情報がＣＰＵ１２１やビデオプロセッサ１２９で処理され、所定ＷｅｂサイトのＷｅｂページを表示するためのビデオデータが得られる。このビデオデータはビデオプロセッサ１２９より出力され、合成器１３１を介してＴＶエンコーダ／ＤＡＣ１３２に供給され、ビデオ出力端子１１５には所定ＷｅｂサイトのＷｅｂページに係るＮＴＳＣ方式の映像信号ＳＶが出力される。この映像信号ＳＶをモニタ（図示せず）に供給することで、図２Ｂに示すように、モニタの全面に所定ＷｅｂサイトのＷｅｂページに係る画像ＩＭ２が表示される。
【００３６】
また、ダウンロードされた情報に音声情報があるときは、ＣＰＵ１２１やオーディオプロセッサ１３４で処理され、所定ＷｅｂサイトのＷｅｂページに係るオーディオデータが得られる。このオーディオデータはオーディオプロセッサ１３４より出力され、Ｄ／Ａコンバータ１１６でアナログ音声信号ＳＡとされて、オーディオ出力端子１１７に出力される。この音声信号ＳＡを増幅してスピーカ（図示せず）に供給することで、所定ＷｅｂサイトのＷｅｂページに係る音声（インターネット音声）が出力される。
【００３７】
次に、集積回路１２０がＤＶＤ処理モードにある状態でさらにパネル部１４０の操作キー部１４２の操作によってインターネット接続が指示された場合、および集積回路１２０がインターネット処理モードにある状態でさらにパネル部１４０の操作キー部１４２によってＤＶＤ再生が指示された場合について述べる。
【００３８】
これらの場合、集積回路１２０は、上述したＤＶＤ処理モードの動作と、インターネット処理モードの動作とが並行して行われる同時処理モードとなる。ただし、この同時処理モードにおいては、ビデオプロセッサ１２９より出力されるビデオデータは、ＤＶＤの再生画像ＩＭ１およびインターネットの所定ＷｅｂサイトのＷｅｂページに係る画像ＩＭ２を同時表示するためのものとなる。この場合、画像ＩＭ１，ＩＭ２のうち、一方が親画面に表示され、他方が子画面に表示される。
【００３９】
集積回路１２０がＤＶＤ処理モードにある状態で、さらにパネル部１４０の操作キー部１４２の操作によってインターネット接続が指示された場合、最初、例えば図２Ｃに示すように、画像ＩＭ１が親画面に表示され、画像ＩＭ２が子画面に表示される状態となる。一方、集積回路１２０がインターネット処理モードにある状態で、さらにパネル部１４０の操作キー部１４２によってＤＶＤ再生が指示された場合、最初、例えば図２Ｄに示すように、画像ＩＭ２が親画面に表示され、画像ＩＭ１が子画面に表示される状態となる。
【００４０】
本実施の形態においては、このように画像ＩＭ１，ＩＭ２が同時表示される状態で、ユーザが操作キー部１４２の切換キー１４２ａを操作することで、図２Ｃに示す表示態様と、図２Ｄに示す表示態様とを切り換えることができる。
【００４１】
このように、２つの画像ＩＭ１，ＩＭ２を同時に表示するためのビデオデータを得るために、ビデオプロセッサ１２９では、第１の画像処理方法、または第２の画像処理方法が行われる。
【００４２】
第１の画像処理方法について説明する。親画面に表示する画像を得るためのビデオデータを、ＤＶＤの再生ビデオデータ（ＭＰＥＧデータ）やインターネット情報（文字情報としてのＨＴＭＬデータ、画像情報としてのＧＩＦデータ、ＪＰＥＧデータ等）のうち、子画面部分を除いてデコードして得るようにする。また、子画面に表示する圧縮画像を得るためのビデオデータを、ＤＶＤの再生ビデオデータ（ＭＰＥＧデータ）やインターネット情報（文字情報としてのＨＴＭＬデータ、画像情報としてのＧＩＦデータ、ＪＰＥＧデータ等）をデコードする際に必要なデータ（情報）のみをデコードすることで直接圧縮処理をして得るようにする。
【００４３】
ここで、ＭＰＥＧデータはマクロブロック単位やスライス単位で符号化されているので、マクロブロックやスライスを選択的にデコードすることで、親画面に表示する画像ＩＭ１を得るためのビデオデータのみを効率的に得ることができ、また子画面に表示する画像（圧縮画像）ＩＭ１のビデオデータを効率的に得ることができる。このように、ＭＰＥＧデータの必要な部分のみをデコードすることで、ＣＰＵ１２１の負荷を軽減できる。
【００４４】
また、文字情報としてのＨＴＭＬデータは内容を示すフォントデータおよび表示位置データからなっていると共に、画像情報としてのＧＩＦデータ、ＪＰＥＧデータ等はブロック単位で符号化されているので、選択的にデコードすることで、親画面に表示する画像ＩＭ２を得るためのビデオデータのみを効率的に得ることができ、またデコードに際してフォントサイズや表示間隔を調整したり、画像ブロックを選択的にデコードすることで、子画面に表示する画像（圧縮画像）ＩＭ２のビデオデータを得ることができる。
【００４５】
第１の画像処理方法では、さらに、以上のようにして得られる親画面用のビデオデータと子画面用のビデオデータとをメモリ上で合成して２つの画像ＩＭ１，ＩＭ２を同時に表示するためのビデオデータを得るようにする。
【００４６】
この第１の画像処理方法では、親画面用のビデオデータと子画面用のビデオデータとを得、これらのビデオデータをメモリ上で合成して２つの画像ＩＭ１，ＩＭ２を同時に表示するためのビデオデータを得るものであるが、各ビデオデータを得るためのデコード処理や圧縮処理、さらにビデオデータを合成する処理を、全て単一の集積回路１２０内で行うものであり、ビデオデータの合成処理を容易に行うことができる。
【００４７】
また、この第１の画像処理方法では、親画面用のビデオデータを、ＤＶＤの再生ビデオデータやインターネット情報のうち子画面部分を除いてデコードして得ると共に、子画面用のビデオデータをＤＶＤの再生ビデオデータやインターネット情報をデコードする際に直接圧縮処理をして得るものであり、ＣＰＵ１２１の負荷を軽減でき、またメモリ（ＲＡＭ）の作業領域を節約できる。
【００４８】
第２の画像処理方法について説明する。ＤＶＤの再生ビデオデータ（ＭＰＥＧデータ）およびインターネット情報（文字情報としてのＨＴＭＬデータ、画像情報としてのＧＩＦデータ、ＪＰＥＧデータ等）をそれぞれデコードして、モニタ全面にＤＶＤの再生画像ＩＭ１を表示する（図２Ａ参照）ためのビデオデータと、モニタ全面に所定ＷｅｂサイトのＷｅｂページに係る画像ＩＭ２を表示する（図２Ｂ参照）ためのビデオデータとを得るようにする。
【００４９】
そして、子画面に表示する画像に係るビデオデータに対しては、例えば間引き処理をして圧縮画像を表示するためのビデオデータを得るようにする。そして、親画面を表示する画像に係るビデオデータに対して、圧縮画像を表示するためのビデオデータを合成して、２つの画像ＩＭ１，ＩＭ２を同時に表示するためのビデオデータを得るようにする。
【００５０】
この第２の画像処理方法では、親画面に表示する画像に係るビデオデータに子画面に表示する圧縮画像に係るビデオデータを合成して、２つの画像ＩＭ１，ＩＭ２を同時に表示するためのビデオデータを得るものであるが、各ビデオデータを得るためのデコード処理や圧縮処理、さらにビデオデータを合成する処理を、全て同一の集積回路１２０内で行うものであり、ビデオデータの合成処理を容易に行うことができ、従って複数画像の同時表示を簡単に行うことができる。
【００５１】
図３のフローチャートを使用して、画面の表示態様の切り換え処理について説明する。
まず、ステップＳＴ１で、インターネットの所定Ｗｅｂサイトの閲覧状態にあるか否かを判定する。所定Ｗｅｂサイトの閲覧状態にないときは、ステップＳＴ２で、ＤＶＤの再生中か否かを判定する。ＤＶＤの再生中でないときは、ステップＳＴ１に戻る。一方、ＤＶＤの再生中であるときは、ステップＳＴ３で、全画面をＤＶＤの再生画面とし（図２Ａ参照）、その後にステップＳＴ１に戻る。
【００５２】
また、ステップＳＴ１で、所定Ｗｅｂサイトの閲覧状態にあるときは、ステップＳＴ４で、ＤＶＤの再生中であるか否かを判定する。ＤＶＤの再生中でないときは、ステップＳＴ５で、全画面をインターネットの所定Ｗｅｂサイトの閲覧画面とし（図２Ｂ参照）、その後にステップＳＴ１に戻る。
【００５３】
また、ステップＳＴ４で、ＤＶＤの再生中であるときは、ステップＳＴ６で、切換キー１４２ａによる画面切り換え操作があるか否かを判定する。画面切り換え操作がないときは、ステップＳＴ７で、画面の表示態様をそのままにして、ステップＳＴ１に戻る。
【００５４】
また、ステップＳＴ６で、画面切り換え操作があるときは、ステップＳＴ８で、親画面が、インターネットの所定Ｗｅｂサイトの閲覧画面か、ＤＶＤの再生画面かを判定する。親画面がインターネットの所定Ｗｅｂサイトの閲覧画面であるときは、ステップＳＴ９で、親画面をＤＶＤの再生画面にし、子画面をインターネットの所定Ｗｅｂサイトの閲覧画面にし（図２Ｃ参照）、その後にステップＳＴ１に戻る。一方、親画面がＤＶＤの再生画面であるときは、ステップＳＴ１０で、親画面をインターネットの所定Ｗｅｂサイトの閲覧画面にし、子画面をＤＶＤの再生画面にし（図２Ｄ参照）、その後にステップＳＴ１に戻る。
【００５５】
このように、インターネットの所定Ｗｅｂサイトの閲覧状態にあると共に、ＤＶＤの再生中にあるとき、切換キー１４２ａを操作する毎に、インターネットの所定Ｗｅｂサイトの閲覧画面とＤＶＤの再生画面の親子関係が逆転する。ユーザは、切り換えキー１４２ａを操作して、表示態様を自由に選択することができる。
【００５６】
また、本実施の形態においては、上述したようにＤＶＤ処理およびインターネット処理が並行して行われる同時処理モードより、インターネット接続終了操作またはＤＶＤ再生終了操作があって、ＤＶＤ処理モードまたはインターネット処理モードに移行するとき、ビデオプロセッサ１２９より出力されるビデオデータは、ＤＶＤの再生画像ＩＭ１およびインターネットの所定ＷｅｂサイトのＷｅｂページに係る画像ＩＭ２を同時表示するためのものから、画像ＩＭ１または画像ＩＭ２を全画面に表示するためのものとなる。
【００５７】
図４のフローチャートを使用して、インターネット接続終了操作時における画面切り換え処理について説明する。
まず、ステップＳＴ３１で、親画面が、インターネットの所定Ｗｅｂサイトの閲覧画面か、ＤＶＤの再生画面かを判定する。親画面がインターネットの所定Ｗｅｂサイトの閲覧画面であるときは、ステップＳＴ３２で、親画面の閲覧画面を止め、その後にステップＳＴ３３で、全画面をＤＶＤの再生画面にして、切り換え処理を終了する。一方、親画面がＤＶＤの再生画面であるときは、ステップＳＴ３４で、子画面の閲覧画面を止め、その後にステップＳＴ３３で、全画面をＤＶＤの再生画面にして、切り換え処理を終了する。
【００５８】
また、図５のフローチャートを使用して、ＤＶＤの再生終了操作時における画面切り換え処理について説明する。
まず、ステップＳＴ４１で、親画面が、インターネットの所定Ｗｅｂサイトの閲覧画面か、ＤＶＤの再生画面かを判定する。親画面がインターネットの所定Ｗｅｂサイトの閲覧画面であるときは、ステップＳＴ４２で、子画面の再生画面を止め、その後にステップＳＴ４３で、全画面をインターネットの所定Ｗｅｂサイトの閲覧画面にして、切り換え処理を終了する。一方、親画面がＤＶＤの再生画面であるときは、ステップＳＴ４４で、親画面の再生画面を止め、その後にステップＳＴ４３で、全画面をインターネットの所定Ｗｅｂサイトの閲覧画面にして、切り換え処理を終了する。
【００５９】
また、図１に示すＤＶＤプレーヤ１００において、上述した同時処理モードでは、オーディオプロセッサ１３４より出力されるオーディオデータは、ＤＶＤ処理に係るオーディオデータまたはインターネット処理に係るオーディオデータとなる。
【００６０】
集積回路１２０がＤＶＤ処理モードにある状態で、さらにパネル部１４０の操作キー部１４２の操作によってインターネット接続が指示された場合、最初、例えばＤＶＤ処理に係るオーディオデータが出力される。一方、集積回路１２０がインターネット処理モードにある状態で、さらにパネル部１４０の操作キー部１４２によってＤＶＤ再生が指示された場合、最初、例えばインターネット処理に係るオーディオデータが出力される。
【００６１】
本実施の形態においては、ユーザが操作キー部１４２の切換キー１４２ｂを操作することで、ＤＶＤ処理に係るオーディオデータが出力される状態と、インターネット処理に係るオーディオデータが出力される状態とを切り換えることができる。このように、２つのオーディオデータを切り換えるために、オーディオプロセッサ１３４では、第１の音声処理方法、または第２の音声処理方法が行われる。
【００６２】
第１の音声処理方法では、オーディオプロセッサ１３４より出力されるオーディオデータに対応する、再生オーディオデータまたは所定ＷｅｂサイトのＷｅｂページに係る音声情報のみをデコードして、出力オーディオデータを得るようにする。この第１の音声処理方法によれば、出力されるオーディオデータに対応しないオーディオデータ（音声情報）をデコードしなくてもよく、ＣＰＵ１２１の負荷を軽減でき、またメモリ（ＲＡＭ）の作業領域を節約できる。
【００６３】
また、第２の音声処理方法では、再生オーディオデータおよび所定ＷｅｂサイトのＷｅｂページに係る音声情報の双方をデコードし、その一方を出力オーディオデータとして出力するようにする。この第２の音声処理方法では、第１の音声処理方法のようにＣＰＵ１２１の負荷を軽減することはできないが、双方のデコード処理、さらにはオーディオデータの切換処理を、全て同一の集積回路１２０内で行うものであり、オーディオデータの切換処理を容易に行うことができる。
【００６４】
図６を使用して、音声切り換え処理について説明する。
まず、ステップＳＴ２１で、インターネットの所定Ｗｅｂサイトの閲覧状態にあるか否かを判定する。所定Ｗｅｂサイトの閲覧状態にないときは、ステップＳＴ２２で、ＤＶＤの再生中か否かを判定する。ＤＶＤの再生中でないときは、ステップＳＴ２１に戻る。一方、ＤＶＤの再生中であるときは、ステップＳＴ２３で、ＤＶＤ音声の出力状態とし、その後にステップＳＴ２１に戻る。
【００６５】
また、ステップＳＴ２１で、所定Ｗｅｂサイトの閲覧状態にあるときは、ステップＳＴ２４で、ＤＶＤの再生中であるか否かを判定する。ＤＶＤの再生中でないときは、ステップＳＴ２５で、インターネット音声の出力状態とし、その後にステップＳＴ２１に戻る。
【００６６】
また、ステップＳＴ２４で、ＤＶＤの再生中であるときは、ステップＳＴ２６で、切換キー１４２ｂによる音声切り換え操作があるか否かを判定する。音声切り換え操作がないときは、ステップＳＴ２７で、音声出力状態をそのままにして、ステップＳＴ２１に戻る。
【００６７】
また、ステップＳＴ２６で、音声切り換え操作があるときは、ステップＳＴ２８で、ＤＶＤ音声が出力されているか、インターネット音声が出力されているかを判定する。インターネット音声が出力されているときは、ステップＳＴ２３で、ＤＶＤ音声の出力状態とし、その後にステップＳＴ２１に戻る。一方、ＤＶＤ音声が出力されているときは、ステップＳＴ２５で、インターネット音声の出力状態とし、その後にステップＳＴ２１に戻る。
【００６８】
このように、インターネットの所定Ｗｅｂサイトの閲覧状態にあると共に、ＤＶＤの再生中にあるとき、切換キー１４２ｂを操作する毎に、インターネットの音声の出力状態またはＤＶＤ音声の出力状態となる。ユーザは、切り換えキー１４２ｂを操作して、いずれの音声出力状態にするかを自由に選択することができる。
【００６９】
また、本実施の形態においては、上述したようにＤＶＤ処理およびインターネット処理が並行して行われる同時処理モードより、インターネット接続終了操作があってＤＶＤ処理モードに移行するとき、オーディオプロセッサ１３４より出力されるオーディオデータはＤＶＤ処理に係るオーディオデータとなる。同様に、同時処理モードより、ＤＶＤ再生終了操作があってインターネット処理モードに移行するとき、オーディオプロセッサ１３４より出力されるオーディオデータはインターネット処理に係るオーディオデータとなる。
【００７０】
図７のフローチャートを使用して、インターネット接続終了操作時における音声切り換え処理について説明する。
まず、ステップＳＴ５１で、ＤＶＤ音声が出力されているか、インターネット音声が出力されているかを判定する。インターネット音声が出力されているときは、ステップＳＴ５２で、ＤＶＤ音声の出力状態として、切り換え処理を終了する。一方、ＤＶＤ音声が出力されているときは、ステップＳＴ５３で、音声出力状態をそのままとして、切り換え処理を終了する。
【００７１】
また、図８のフローチャートを使用して、インターネット接続終了操作時における音声切り換え処理について説明する。
まず、ステップＳＴ６１で、ＤＶＤ音声が出力されているか、インターネット音声が出力されているかを判定する。インターネット音声が出力されているときは、ステップＳＴ６２で、音声出力状態をそのままとして、切り換え処理を終了する。一方、ＤＶＤ音声が出力されているときは、ステップＳＴ６３で、インターネット音声の出力状態として、切り換え処理を終了する。
【００７２】
以上説明したように、本実施の形態においては、集積回路１２０は、ＤＶＤ処理機能およびインターネット処理機能を備えるものであり、それぞれの機能を別個の集積回路で実現するものと比べて、ＣＰＵ等のハードウェア資源を有効に使用でき、回路配線を簡単化でき、回路規模を小さくでき、消費電力を低減でき、さらに外部回路（ＲＡＭ、ＲＯＭ、モニタ、スピーカなど）をそれぞれの処理時に共通に使用することが容易となる。
【００７３】
また、本実施の形態においては、ＤＶＤ処理およびインターネット処理が並行して行われる同時処理モードよりＤＶＤ処理モードまたはインターネット処理モードに移行するとき、ＤＶＤの再生画像ＩＭ１およびインターネットの所定ＷｅｂサイトのＷｅｂページに係る画像ＩＭ２を同時表示するためのビデオデータを出力する状態から、画像ＩＭ１または画像ＩＭ２を全画面表示するためのビデオデータを出力する状態に切り替わるものであるが、各ビデオデータを得るためのデコード処理や出力処理を、全て単一の集積回路１２０内で行うものであり、同時処理モードからＤＶＤ処理モードまたはインターネット処理モードへの移行時における画面の切り換えを簡単に行うことができる。
【００７４】
また、本実施の形態においては、ＤＶＤ処理およびインターネット処理が並行して行われる同時処理モードよりＤＶＤ処理モードまたはインターネット処理モードに移行するとき、ＤＶＤ音声またはインターネット音声の出力状態から、移行した処理モードに係る音声の出力状態に切り替わるものであるが、各オーディオデータを得るためのデコード処理や出力処理を、全て単一の集積回路１２０内で行うものであり、同時処理モードからＤＶＤ処理モードまたはインターネット処理モードへの移行時における音声切り換えを簡単に行うことができる。
【００７５】
なお、上述実施の形態においては、ＤＶＤ処理およびインターネット処理が同時に行われる同時処理モード時に、ＤＶＤの再生画像ＩＭ１および所定ＷｅｂサイトのＷｅｂページに係る画像ＩＭ２を、親子関係で表示するものを示したが（図２Ｃ，Ｄ参照）、これら画像ＩＭ１，ＩＭ２を、図９Ａに示すように左右に分割された画面に表示し、また図９Ｂに示すように上下に分割された画面に表示し、さらには図９Ｃに示すように双方とも子画面に表示することも考えられる。それらの場合も、切換キー１４２ａを操作する毎に、画像ＩＭ１，ＩＭ２の表示位置関係が逆転することとなる。
【００７６】
また、上述実施の形態においては、蓄積情報の処理としてＤＶＤ１０１の再生データの処理を示したが、この蓄積情報の処理としてはその他の記録媒体からの再生データの処理であってもよい。また、外部情報の処理としてモデム１１４を介してインターネットより取得した情報の処理を示したが、この外部情報の処理としてはその他の外部より取得される情報の処理であってもよい。
【００７７】
また、上述実施の形態においては、集積回路１２０内のＣＰＵ１２１の他に、フロントエンド側にＣＰＵ１０５を備えるものであるが、これらを１個のＣＰＵのみで実現するようにしてもよい。
【００７８】
【発明の効果】
この発明によれば、例えば蓄積情報処理部と外部情報処理部とを備えるものであり、それぞれの処理部を別個の集積回路で実現するものに比べて、例えばＣＰＵ等のハードウェア資源を有効に使用でき、回路配線を簡単化でき、回路規模を小さくでき、消費電力を低減でき、さらにＲＡＭ、ＲＯＭ等の外部回路をそれぞれの処理時に共通に使用することが容易となる。
【００７９】
また、この発明によれば、蓄積情報および外部情報を処理する同時処理モードにあって２画像を同時表示するための画像信号を出力している状態より、一方の情報を処理する処理モードに移行するとき、当該一方の情報を処理して全画面表示をするための画像信号を得ると共にこの画像信号を出力するものであり、これらの処理を同一の集積回路内で行うことから、処理モード移行時における画面の切り換えを簡単に行うことができる。
【図面の簡単な説明】
【図１】実施の形態としてのＤＶＤプレーヤの構成を示すブロック図である。
【図２】モニタの画像表示態様を示す図である。
【図３】画面の表示態様の切り換え処理を説明するためのフローチャートである。
【図４】インターネット接続終了操作時における画面切り換え処理を説明するためのフローチャートである。
【図５】ＤＶＤ再生終了操作時における画面切り換え処理を説明するためのフローチャートである。
【図６】音声の切り換え処理を説明するためのフローチャートである。
【図７】インターネット接続終了操作時における音声切り換え処理を説明するためのフローチャートである。
【図８】ＤＶＤ再生終了操作時における音声切り換え処理を説明するためのフローチャートである。
【図９】２画像を表示する際の画面分割の他の例を示す図である。
【符号の説明】
１００  ＤＶＤプレーヤ
１０１  ＤＶＤ
１０３  光ピックアップ
１０５，１２１，１４３  ＣＰＵ
１０６  サーボ制御回路
１０７  ＲＦアンプ部
１０８  リードチャネル部
１０９  復調／ＥＣＣ部
１１１  ＶＢＲ制御部
１１２  ＲＯＭ
１１３  ＲＡＭ
１１４  モデム
１１５  ビデオ出力端子
１１７  オーディオ出力端子
１２０  集積回路
１２２  内部バス
１２３  デスクランブラ
１２４  デマルチプレクサ
１２８  ＣＰＵインタフェース
１２９  ビデオプロセッサ
１３０  サブピクチャデコーダ
１３２  ＴＶエンコーダ／ＤＡＣ
１３３  ＯＳＤ回路
１３４  オーディオプロセッサ
１４０  パネル部
１４１  表示部
１４２  操作キー部
１４２ａ，１４２ｂ  切換キー
【図１】
0004513213.tif 000002
【図２】
0004513213.tif 000003
【図３】
0004513213.tif 000004
【図４】
0004513213.tif 000005
【図５】
0004513213.tif 000006
【図６】
0004513213.tif 000007
【図７】
0004513213.tif 000008
【図８】
0004513213.tif 000009
【図９】
0004513213.tif 000010